(57)【要約】【課題】二重或いはそれ以上に首に巻きつけることができるような長さで環状に形成されていても、一重にしたときに首元から無用に大きく垂下がらないマフラーを提供する。【解決手段】長尺状のマフラー地１１を止結びに結んで結び目１２を形成し、マフラー地１１の両端を接合して環状に形成してなるマフラー１０。また、長尺状のマフラー地１１を止結びに結んで結び目１２を形成し、マフラー地１１の両端を接合して環状に形成してなり、且つ、前記マフラー地１１の表裏を合致させて両端を接合してなるマフラー１０。【選択図】図１
0003150281.tif 000002
【実用新案登録請求の範囲】
【請求項１】
長尺状のマフラー地を止結びに結んで両端を接合して環状に形成してなるマフラー。
【請求項２】
前記マフラー地の表裏を合致させて両端を接合してなる請求項１に記載のマフラー。
【考案の詳細な説明】
【技術分野】
【０００１】
本考案は、マフラーに関するものである。
【背景技術】
【０００２】
一般的なマフラーは、１本の長尺状のマフラー地からなるものであり、首に一重、一重半、二重といったように所望の回数巻きつけて使用されるものである。ここで、マフラー地は、毛糸を手編みや機械編みによって編んだ編地、羊毛や化学繊維等の適宜の繊維を織った布地等によって構成されている。
【考案の概要】
【考案が解決しようとする課題】
【０００３】
長尺状のマフラーは、ある程度長く形成されており、首に一重で巻きつけると、両端が首元から大きく垂下がり煩わしい。特に、マフラーの垂下がった端部が農作業等、種々の作業の邪魔になることがある。また、首に一重半、二重といったように巻きつけて、端部の垂下がりを少なくすると、首に巻きつけた端の部分が不用意にほどけ易くなり、やはり煩わしい。
【０００４】
ところで、マフラーを、長尺状ではなく、マフラー地の両端を接合して環状に形成し、これによりマフラーの端部をなくすことも単に想定することができる。
【０００５】
しかしながら、マフラーを単に環状にしただけでは、次のような問題を生じる。
【０００６】
環状のマフラーを、寒いときは二重或いはそれ以上に首に巻きつけることができるようにしようとすると、環状のマフラーの全長（全周の長さ）を当然、長くしなければならない。よって、比較的暖かいときに一重にすると、首に巻きつけない余剰の部分がやはり首元から大きく垂下がってしまう。
【０００７】
本考案は上記の実状に鑑みてなされたものであり、二重或いはそれ以上に首に巻きつけることができるような長さで環状に形成されていても、一重にしたときに首元から無用に大きく垂下がらないマフラーを提供することを課題とするものである。
【課題を解決するための手段】
【０００８】
上記課題を解決するために本考案の採った主要な手段は、
「長尺状のマフラー地を止結びに結んで両端を接合して環状に形成してなるマフラー」
である。
【０００９】
上記構成のマフラーは、長尺状のマフラー地の両端を接合して環状に形成してなるものであり、環状のマフラーをそのまま頭に通すことで、首に一重に巻きつけることができる。この時、長尺状のマフラー地が止結びによって結ばれており、全体が環状となったマフラーの一部に結び目があるため、この結び目でマフラー地が重なり合う。よって、首に巻きつけられていない余剰部分が首元から無用に大きく垂下がることがない。
【００１０】
なお、マフラーを一重にしたときに止結びの結び目を胸元に位置させると、結び目が胸元のアクセントとなり、お洒落なマフラーとなる。また、結び目を後ろ側に位置させると、首の後ろ側の部分が結び目の分だけ分厚くなり、使用者のうなじ部分を暖かくすることができる。
【００１１】
一方、止結びの結び目を緩めて、緩んだ結び目に頭を通すことで、結び目部分と、結び目以外の部分とで、マフラーを首に２重に巻きつけることができる。
【００１２】
なお、止結びの結び目は一つに限らず、一つの止結びの部分にさらに止め結びを繰り返して、一箇所に複数の結び目を設けてもよい。また、止結びの結び目の隣に別個の止結びの結び目を設けて、環状のマフラーの複数箇所に結び目を設けてもよい。
【００１３】
なお、マフラー地としては、前述の通り、毛糸を手編みや機械編みによって編んだ編地、羊毛や化学繊維等の適宜の繊維によって織られた布地等、適宜の生地を採用することができるが、結び目を緩めたり、緩めた結び目に頭を通し易いように、マフラー地自体が適度な伸縮性を有することが望ましい。よって、マフラー地を編地によって構成することが好適である。
【００１４】
上述した手段において、
「前記マフラー地の表裏を合致させて両端を接合してなるマフラー」
とするのが好適である。
【００１５】
マフラー地の裏表にデザイン性を損ねる程の差異がない場合には、長尺状のマフラー地の両端を接合する際してマフラー地の表裏を気にする必要はないが、マフラー地に裏表に差異があり、マフラー地の裏が露呈するとデザイン性を損ねる場合には、長尺状のマフラー地の両端を接合する際してマフラー地の表裏を合致させるとよい。
【００１６】
マフラーを一重にて使用する場合には、結び目以外の部分が首に巻きつけられるのであるが、首に巻きつけた部分をすべてマフラー地の表とすることができるからである。
【考案の効果】
【００１７】
以上のように、本考案によれば、二重或いはそれ以上に首に巻きつけることができるような長さで環状に形成されていても、一重にしたときに首元から無用に大きく垂下がらないマフラーを提供することができる。
【図面の簡単な説明】
【００１８】
【図１】本考案に係るマフラーの一例を示す斜視図である。
【図２】図１に示したマフラーを二重にした状態を示す斜視図である。
【図３】図１に示したマフラーを形成する工程を示す概略図である。
【考案を実施するための形態】
【００１９】
図１，２に、本考案に係るマフラー１０の実施形態としての一例を示す。
【００２０】
このマフラー１０は、毛糸を手編みや機械編みした編地によって構成された長尺状のマフラー地１１の両端を接合して環状に形成されてなるものである。そして、このマフラー１０では、１箇所に止結びの結び目１２が設けられている。
【００２１】
暖かいときや、胸元にアクセントをつけて洒落たいときには、図１に示すように、マフラー１０を一重として首に巻いて、結び目１２を胸元に位置させる。
【００２２】
なお、図示では、表裏が明確となるようにマフラー地１１が薄い布地の如く誇張して描写されており、硬いイメージとなっているが、本例では、マフラー地１１が編地によって構成されており、結び目１２はふんわりとした柔らかいイメージのアクセントとなる。
【００２３】
また、本例では、長尺状のマフラー地１１の両端を接合するに際して、マフラー地１１の表裏を合致させており、マフラー地１１の表側が露呈するようにマフラー１０を首の周りに巻くことができる。
【００２４】
なお、図面においては、表面１１ａを薄墨によって示し、裏面１１ｂを白地によって示すことで、マフラー地１１の表裏が明確となるようにしてある。
【００２５】
寒いときや、胸元の結び目１２をなくしたいときには、図２に示すように、結び目１２を緩めて、緩めた結び目１２の中に頭を通す。こうすることで、首の回りにマフラー１０を二重に巻くことができる。
【００２６】
次に、図１，２に示したマフラー１０の形成方法を、図３に基づいて説明する。
【００２７】
まず、図３（ａ）に示すように、毛糸を機械編みして長尺状の一本のマフラー地１１を形成する。ここで、本例では、幅約３０ｃｍ、長さ約１２０ｃｍの長尺状のマフラー地１１としているが、マフラー地１１の幅及び長さは、適宜設定すればよい。
【００２８】
次に、図３（ｂ）に示すように、長尺状のマフラー地１１を止結びで結ぶ。
【００２９】
すると、図３（ｃ）に示すように、長尺状のマフラー地１１の１箇所に止結びの結び目１２が形成される。
【００３０】
次に、図３（ｄ）に示すように、長尺状のマフラー地１１の両端を互いに編み合わせて接合する。このとき、マフラー地１１の一端側を半分ひねって、マフラー地１１の表裏を合致させる。また、マフラー地１１に完全なねじれが生じないようにマフラー地１１の両端を接合する。
【００３１】
すると、図３（ｅ）に示すように、１箇所に結び目１２が設けられると共に結び目１２の両側の表裏が統一された環状のマフラー１０が形成される。
【００３２】
なお、図示では、マフラー地１１の接合した端部を破線にて示してあるが、本例では、編地からなるマフラー地１１の両端を編み合わせることで接合することから、マフラー地１１の端部の接合部分が明確とはならない。
【００３３】
以上、本考案に係るマフラー１０の一例を示したが、本考案に係るマフラー１０は、上述の例に限らず、本考案の要旨を逸脱しない範囲で適宜の変更が可能である。
【００３４】
マフラー地１１としては、編地に限らず、羊毛や化学繊維等の適宜の繊維を織った布地であってもよく、また、一枚の平坦な編地や布地に限らず、筒状の編地や布地としてもよい。
【００３５】
マフラー地１１を止結びによって結ぶのは１回に限らず、複数回結んでもよい。この場合、１箇所にて止結びを繰り返すことで、１箇所にて重なる複数の結び目１２が形成される。また、止結びで結んだ側方を別途止結びで結べば、複数箇所に独立した結び目１２が形成される。
【００３６】
長尺状のマフラー地１１の両端を接合する際に、一方の端部の表に対して他方の端部が裏となるように接合してもよい。
【００３７】
この場合には、マフラー地１１をひねらずにその両端を接合することができるため、結び目１２の両側のマフラー地１１を円滑な筒面とすることができる。また、首の周りに巻いたときにマフラー地１１の表と裏とが露呈することから、マフラー地１１の表裏の色や柄を変えることで、首の周りに違った色や柄を表現することのできるデザイン性に優れたマフラー１０とすることができる。
【符号の説明】
【００３８】
１０  マフラー
１１  マフラー地
１１ａ  表面
１１ｂ  裏面
１２  結び目
【図１】
0003150281.tif 000003
【図２】
0003150281.tif 000004
【図３】
0003150281.tif 000005